(57)【特許請求の範囲】
【請求項１】
コンクリートポンプのホッパー部を密閉用の蓋を設ける事によってホッパー部自体をタンクにして、圧送用ピストン・チューブの吸引・排出行程の連続運動によりホッパー部内の負圧・真空圧を高めて多様な物の吸入・排出を同時に行なう事を特徴とするコンクリートポンプ。
【発明の詳細な説明】
【技術分野】
【０００１】  この発明は、コンクリートポンプの多目的使用を目的とし、多様な品目の吸引・排出が必要な作業をするためにコンクリートポンプの汎用化に関する。
【背景技術】
【０００２】  従来のコンクリートポンプの方式・形状は背景技術説明（別添え及び特許文献１参照）に示す様に生コン受けのホッパーが設置されており、図３・図４において従来のホッパーを説明するもので、生コンを溜めて、その自重・圧力差等により圧送シリンダーや圧送チューブに流し込みそれを圧送するものである。
原理的な種類の違いにより、ホッパーの形状の違いが生ずる（特許文献２・３・４参照）
【特許文献１】平１０−０２４９８７号公報
【特許文献２】２００１−０４１１７９号公報
【特許文献３】２００１−１７９７２７号公報
【特許文献４】平０９−１９３５７１号公報
【発明の開示】
【発明が解決しようとする課題】
【０００３】しかしながら、以上の技術によれば、圧送したい材料をホッパー投入しなければならず、ミキサー車や他の重機が必要である上に生コンやモルタル等の圧送作業しか出来ません。更に、ガスプラントの点検時の保冷材抜き取り・補填から、貯水施設等の流動体の抜き取りや、タンカー・船舶座礁事故での載貨油の流出原油・燃料の吸引・圧送処理や、火災現場での消火活動などの粉末や液体の吸引・圧送を必要とする作業は未だに人力による危険作業が多く、コストも高い上に時間がかかる作業が多い。
そこで、この発明はコンクリートポンプのホッパー部に簡単な方法で圧送用ホースや配管を直接シリンダーやチューブにつなぎ、圧力差でホースの先から吸引しながら他方（他行程中）のピストンやチューブで同時に圧送でき、直接任意の場所に比重の軽い粉末から粘度の高い液状のものまで吸い込み、任意の場所まで圧送する事が出来て、他の重機・車両や人手を必要とせずに無線操作の機械により、迅速・省力化・低コスト・安全を提供することを課題とする。
【課題を解決するための手段】
【０００４】  以上の課題を解決するために、第一の発明はホッパー部内に吸入口を覆う形の密閉型の蓋を付けた事により、多様な物を吸入・排出を同時に行なう多目的な使用を特徴としたコンクリートポンプ。
また、第二発明は、コンクリートポンプのホッパー部内に吸入口を覆う形の密閉型の蓋を付けた事により、吸入行程側の圧送用ピストンや圧送用チューブからの負圧・真空圧による吸引力で、取り付けた配管やホースを使って任意の場所から多様な物を吸引し、同時に任意の場所へ排出を行なう事を特徴とするコンクリートポンプである。
第三の発明はコンクリートポンプのホッパー部を密閉用の蓋を設ける事によってホッパー部自体をタンクにして、圧送用ピストン・チューブの吸引・排出行程の連続運動によりホッパー内の負圧・真空圧を高めて多様な物の吸引・排出を同時に行う事を特徴とするコンクリートポンプである。
第四の発明はコンクリートポンプのホッパー部の吸入・排出口に密閉用部材の取り付けを施す事により、多様な物を吸引・排出を同時に行う事を特徴としたコンクリートポンプである。
【発明の効果】
【０００５】  第一発明、または第二から第四までの発明によれば、危険な作業であるガスプラントの点検時の保冷材抜き取り・補填から、貯水施設等の流動体の抜き取りや、タンカー・船舶座礁事故での載貨油の流出原油・燃料の吸引・圧送処理や、火災現場での消火活動などの粉末や液体の吸引・圧送を必要とする作業は未だに人力による危険作業が多く、コストも高い上に時間がかかる作業を他の重機・車両を介入させずに粉末から粘度の高い液体まで、迅速・低コスト・安全に吸引・圧送作業が出来る上にコンクリートポンプに汎用性を持たせることにより、国・地方自治体から民間企業まで使用頻度は少ないのに緊急時のために高価な設備を持つ必要が少なくなる。
【発明を実施するための最良の形態】
【０００６】  この発明の一実施形態を、図２に示す。ポンプ本体は鉄製でありホッパー１の底部にある吸い込み口に、ゴム製のラバーパッキン３と鉄・チタン等の金属製吸入用ガイドパイプ付き密閉板２をボルトで固定して設置されている。この密閉板には形式・機種により違うので数種類（図１・５・６・７の様に）設定されている。この密閉板により圧送シリンダーや圧送チューブと吸入ガイドパイプ４が直接結合される様な形になり、ガイドパイプの先にゴム製などのホースを取り付けてホースの先よりポンプの作動で吸い込み、同時にポンプで排出する。
【実施例】  図２及び図７は実施成功例で、ブーム付きポンプ車のホッパー内部に密閉板２を密閉用ラバーゴムと共に取り付けて、密閉板のガイドパイプにゴム製ホースを取り付け、更にその先に任意の場所まで圧送用パイプをつなぎます。その先に吸引用ゴムホースをつないで、ポンプを作動して吸引を開始して、積み込み車両・堆積したい場所にブームを合わせて排出する。【０００７】「実施形態の効果」
この実施形態によれば、密閉板２の効果で圧送シリンダー・圧送チューブの内部が負圧や真空になり外部大気圧等との圧力差で、吸引しながら同時に圧送作業が可能になる。これにより密閉板のガイドパイプの先にパイプ・ホース４をつなぐ事で、任意の場所で直接吸引し、粉末から粘度の高い液体まで吸い込み、任意の場所まで圧送が可能になる。これにより、迅速・省力化・低コスト・高い安全性を得る事が出来る上、場所・材料・施工方法を嫌わないという利点があります。【０００８】「他の実施形態」
図１の実施形態では、ガイドパイプ付き密閉板２は吸引ホース４を接続してホースだけの作業であったが、他の実施形態では、図８の様にコンクリートポンプ車でブーム（アーム）の配管に接続するとブーム使用の吸引作業でも良い。
図１以外の実施形態もブームによる吸引作業は可能である。
更に簡単な方法として、各実施形態において逆回転型としてブームから吸引してガイドパイプ側より排出も可能である。
【産業上の利用可能性】
【０００９】  この方法の利用としては、ガスプラント点検の等に保冷層からの保冷材抜き出し・補填、貯水施設等の液体・流動体の抜き取り・補填。更に、タンカー等の座礁事故で載貨油が流出した際に、流出油の処理の為の吸引作業も可能ですし、河川・沼・湖・海岸の汚泥や浮遊物の除去や火災現場での消火作業も可能である。粉末・液体・流動体の吸引・排出を必要とする作業には有効な手段である。
【図面の簡単な説明】
【００１０】
【図１】この発明の一実施形態を示す斜視図である。
【図２】この発明の一実施形態を示す正面・側面図・断面図である。
【図３】従来技術を示す正面・側面図・断面図である。
【図４】従来技術を示す斜視図である。
【図５】この発明の一実施形態例を示す斜視図及び取り付け図である。
【図６】この発明の一実施形態例を示す斜視図及び取り付け図である。
【図７】この発明の一実施形態例を示す斜視図及び取り付け図である。
【図８】この発明他の一実施形態例を示す上面・側面図である。
【符号の説明】
【００１１】１  コンクリート  ホッパー    ２  吸引用ガイドパイプ付き密閉板
３  密閉用ラバーパッキン      ４  吸引用パイプ・ホース
【背景技術】    コンクリートポンプについての説明
コンクリートポンプは大きく二種類に分かれます。
一つは図Ａに示す様にゴム製チューブをローラーで潰す事により生コンを絞り出し、チューブが甦生する事による真空圧により生コンを吸い込む、その行程を繰り返す方式をスクイーズ式と言います。
もう一つは図Ｂに示すように、複数のピストンとシリンダーをバルブで切り替える方法で、
バルブの向いた方が排出を行い、反対側のピストンは吸入を行う、これを繰り返す方式をピストン式と言います。
更に、自走できない図Ａ・Ｂに動力用原動機を付けただけの定置式と、図Ｃの様なトラックシャーシに図Ａ・Ｂを搭載したものや作業効率を上げる為にブーム（アーム）を取り付けた物を、総称してコンクリートポンプ車と言います。どちらにも、ピストン式とスクイーズ式があります。
どの様な形式にしても生コンやモルタルをホッパー部に受けて溜め込み、その自重や圧力差等により圧送用チューブや圧送用シリンダー内に取り込み、それを圧力で押し出す生コン専用の機械である。
この発明はコンクリートポンプのホッパー部を簡易な加工を施すだけで、粉末から液体まで多様な物を吸入・排出する作業を、迅速・安全・省力化・低コスト化する事ができる。
0004604281.tif 000002
0004604281.tif 000003
0004604281.tif 000004
【図１】
0004604281.tif 000005
【図２】
0004604281.tif 000006
【図３】
0004604281.tif 000007
【図４】
0004604281.tif 000008
【図５】
0004604281.tif 000009
【図６】
0004604281.tif 000010
【図７】
0004604281.tif 000011
【図８】
0004604281.tif 000012